(57)【要約】【課題】ジョブの実行中止を受け付けた場合に、ジョブ設定の入力のうちで強制的に確定された設定値をユーザーが手動で元に戻す手間を省くことを可能にする。【解決手段】画像形成装置１は、ユーザーからジョブの内容を示すジョブ設定の入力を受け付けるジョブ設定受付部１０１と、ジョブ設定受付部１０１が受け付けたジョブ設定の入力のうちで、ユーザーからＯＫボタンが押された入力項目については確定項目とし、ユーザーからＯＫボタンが押されていない入力項目については仮確定項目として記憶する状態記憶部９２ａと、キャンセル受付部１０３がジョブの実行中止を受け付けると、当該ジョブの実行を中止させ、状態記憶部９２ａに確定項目として記憶された入力項目についてはその入力値を維持し、状態記憶部９２ａに仮確定項目として記憶された入力項目についてはデフォルト値に戻す制御部１００と、を備える。【選択図】図２
2020202523.tif 000002
【特許請求の範囲】
【請求項１】
ユーザーからジョブの内容を示すジョブ設定の入力を受け付けるジョブ設定受付部と、
ユーザーからジョブの実行指示を受け付けるジョブ実行受付部と、
前記ジョブ設定受付部が受け付けた前記ジョブ設定の入力のうちで、ユーザーからＯＫボタンが押された入力項目については確定項目とし、ユーザーからＯＫボタンが押されていない入力項目については仮確定項目として記憶する状態記憶部と、
前記ジョブ実行受付部がユーザーからジョブの実行指示を受け付けると、前記ジョブ設定受付部に受け付けられたジョブ設定で当該ジョブの実行を制御する制御部と、
前記ジョブ実行受付部がユーザーからジョブの実行指示を受け付けた後における当該ジョブのキャンセル可能な期間において、ユーザーから当該ジョブの実行中止を受け付けるキャンセル受付部と、を備え、
前記制御部は、前記キャンセル受付部が前記ジョブの実行中止を受け付けると、当該ジョブの実行を中止させ、前記ジョブ設定受付部が受け付けた前記ジョブ設定の入力のうちで、前記状態記憶部に前記確定項目として記憶された入力項目についてはその入力値を維持し、前記状態記憶部に前記仮確定項目として記憶された入力項目についてはデフォルト値に戻す画像形成装置。
【請求項２】
表示部を、更に備え、
前記制御部は、前記状態記憶部に前記仮確定項目として記憶された入力項目をデフォルト値に戻した場合には、当該デフォルト値に戻した入力項目を前記表示部に表示させ、
前記ジョブ設定受付部は、前記表示部に表示された前記デフォルト値に戻された入力項目についての入力を受け付ける請求項１に記載の画像形成装置。
【請求項３】
前記制御部は、前記デフォルト値に戻した入力項目が複数ある場合には、当該デフォルト値に戻した複数の入力項目を前記表示部に順番に表示させ、
前記ジョブ設定受付部は、前記表示部に表示された前記デフォルト値に戻された複数の入力項目についての入力を順番に受け付ける請求項２に記載の画像形成装置。
【請求項４】
前記制御部は、前記キャンセル受付部が前記ジョブの実行中止を受け付けることなく、当該ジョブの実行が完了した場合には、前記状態記憶部に記憶された前記仮確定項目を前記確定項目に変更して記憶させる請求項１乃至請求項３の何れか１項に記載の画像形成装置。
【請求項５】
原稿を読み取る原稿読取部を、更に備え、
前記制御部は、前記ジョブが、前記原稿読取部において複数回に分けて原稿を読み取る連続読込を含むジョブである場合には、当該連続読込が完了するまでの期間を、前記ジョブのキャンセル可能な期間として設定する請求項１乃至請求項４の何れか１項に記載の画像形成装置。
【請求項６】
原稿を読み取る原稿読取部と、
原稿の画像データを記録媒体に画像形成する画像形成部と、を更に備え、
前記制御部は、前記ジョブが、前記画像形成部が原稿の画像データを複数部の記録媒体に画像形成する前に、原稿の画像データを１部のみ画像形成して当該画像形成結果を確認するための試しコピーを含むジョブである場合には、前記原稿読取部において原稿の読み取りが完了するまでの期間を、前記ジョブのキャンセル可能な期間として設定する請求項１乃至請求項４の何れか１項に記載の画像形成装置。
【請求項７】
表示部と、
原稿を読み取る原稿読取部を、更に備え、
前記制御部は、前記ジョブが、前記原稿読取部において読み取った原稿のサイズ情報を前記表示部に表示させてユーザーに確認させるためのサイズ確認を含むジョブである場合には、前記表示部におけるサイズ確認の表示が終了されるまでの期間を、前記ジョブのキャンセル可能な期間として設定する請求項１乃至請求項４の何れか１項に記載の画像形成装置。
【請求項８】
表示部と、
原稿を読み取る原稿読取部を、更に備え、
前記制御部は、前記ジョブが、前記原稿読取部において読み取った原稿を前記表示部においてプレビュー画面を表示させてユーザーに確認させるためのプレビューを含むジョブである場合には、前記表示部におけるプレビュー画面の表示が終了されるまでの期間を、前記ジョブのキャンセル可能な期間として設定する請求項１乃至請求項４の何れか１項に記載の画像形成装置。
【発明の詳細な説明】
【技術分野】
【０００１】
本発明は、画像形成装置に関し、特に、ジョブ設定の入力についての技術に関する。
【背景技術】
【０００２】
特許文献１に記載の画像形成装置は、原稿の印刷を行なう場合、ユーザーが設定画面において用紙サイズ、拡大／縮小の設定等を選択し、ＯＫボタンを押すことで、当該選択している設定が確定され、スタートキーが押下されると、当該確定された設定内容で印刷を行う印刷ジョブを実行する。
【０００３】
また、上記の画像形成装置は、未だＯＫボタンが押されておらず、選択された設定が確定されていない状態でスタートキーが押下されると、当該スタートキーが押下された際のテンポラリーの設定値を強制的に確定させ、印刷ジョブを実行する。
【先行技術文献】
【特許文献】
【０００４】
【特許文献１】特開２０１７−２２２１２６号公報
【発明の概要】
【発明が解決しようとする課題】
【０００５】
上記の画像形成装置では、ユーザーがジョブ設定の内容を気に入らない又は適切でない等の理由により、ユーザーがスタートキーの押下後に印刷ジョブを途中でキャンセルしたとしても、テンポラリーの設定値が強制的に確定された状態となっている。すなわち、ユーザーが設定値を明示的に確定しない「仮確定」の状態で印刷ジョブを実行し、結果として印刷ジョブをキャンセルすることになった場合でも、設定値は破棄されずに確定されている。このため、ユーザーが設定値を元に戻す際に、強制的に確定された設定値、言い換えれば「仮確定の状態」であった設定値を特定した上で、この設定値を手動で元に戻す必要がある。また、強制的に確定された設定値が複数あった場合、下位の階層の設定値であった場合などでは、ユーザーは、全ての設定値のうちで強制的に確定された設定値を特定し難いことがあり、強制的に確定された設定値を手動で元に戻すことが困難な場合がある。
【０００６】
本発明は、上記の事情に鑑みなされたものであり、ジョブの実行中止を受け付けた場合に、ジョブ設定の入力のうちで強制的に確定された設定値をユーザーが手動で元に戻す手間を省くことを可能にすることを目的とする。
【課題を解決するための手段】
【０００７】
本発明の他の一局面に係る画像形成装置は、ユーザーからジョブの内容を示すジョブ設定の入力を受け付けるジョブ設定受付部と、ユーザーからジョブの実行指示を受け付けるジョブ実行受付部と、前記ジョブ設定受付部が受け付けた前記ジョブ設定の入力のうちで、ユーザーからＯＫボタンが押された入力項目については確定項目とし、ユーザーからＯＫボタンが押されていない入力項目については仮確定項目として記憶する状態記憶部と、前記ジョブ実行受付部がユーザーからジョブの実行指示を受け付けると、前記ジョブ設定受付部に受け付けられたジョブ設定で当該ジョブの実行を制御する制御部と、前記ジョブ実行受付部がユーザーからジョブの実行指示を受け付けた後における当該ジョブのキャンセル可能な期間において、ユーザーから当該ジョブの実行中止を受け付けるキャンセル受付部と、を備え、前記制御部は、前記キャンセル受付部が前記ジョブの実行中止を受け付けると、当該ジョブの実行を中止させ、前記ジョブ設定受付部が受け付けた前記ジョブ設定の入力のうちで、前記状態記憶部に前記確定項目として記憶された入力項目についてはその入力値を維持し、前記状態記憶部に前記仮確定項目として記憶された入力項目についてはデフォルト値に戻すものである。
【発明の効果】
【０００８】
本発明によれば、ジョブの実行中止を受け付けた場合に、ジョブ設定の入力のうちで強制的に確定された設定値をユーザーが手動で元に戻す手間を省くことができる。
【図面の簡単な説明】
【０００９】
【図１】本発明の実施形態に係る画像形成装置の構造を示す模式的な部分断面正面図である。
【図２】実施形態に係る画像形成装置の主要内部構成を概略的に示す機能ブロック図である。
【図３】画像形成装置によるジョブ実行処理の一例を示すフローチャートである。
【図４】画像形成装置によるジョブキャンセル時の入力項目表示処理の一例を示すフローチャートである。
【図５】（Ａ）〜（Ｃ）のそれぞれは、操作部の表示部に表示される操作画面の一例を示す図である。
【図６】（Ａ）及び（Ｂ）はそれぞれ、操作画面を表示する表示部を含む操作部の一例を示す図である。
【図７】（Ａ）及び（Ｂ）はそれぞれ、操作画面を表示する表示部を含む操作部の一例を示す図である。
【図８】（Ａ）はＨＤＤの状態記憶部に記憶される記憶情報の一例を示す図、（Ｂ）は連続読込を含むジョブの実行開始後のキャンセル可能期間を示す図である。
【図９】（Ａ）及び（Ｂ）のそれぞれは、操作部の表示部に表示される操作画面の一例を示す図である。
【図１０】（Ａ）は実行中のジョブがキャンセルされた場合のジョブ設定の各入力項目の仮確定／確定項目を示す図、（Ｂ）はジョブの実行が完了した場合に仮確定項目が確定項目に変更される例を示す図である。
【図１１】（Ａ）〜（Ｃ）のそれぞれは、各ジョブの実行開始後のキャンセル可能期間を示す図である。
【発明を実施するための形態】
【００１０】
以下、本発明の一実施形態に係る画像形成装置について図面を参照して説明する。図１は、本発明の実施形態に係る画像形成装置の構造を示した模式的な部分断面正面図である。画像形成装置１は、例えば、コピー機能、プリンター機能、スキャナー機能、及びファクシミリ機能のような複数の機能を兼ね備えた複合機であり、装置本体１１に、操作部４７、原稿給送部６、及び原稿読取部５を含んで構成されている。
【００１１】
操作部４７は、画像形成装置１が実行可能な各種動作及び処理について操作者から画像形成動作実行指示や原稿読取動作実行指示等の指示を受け付けるものであり、操作者への操作案内等を表示する表示部４７３を備えている。また、操作部４７は、後述する図６（Ａ）、図７（Ｂ）等に示すスタートボタンＢ１、終了ボタンＢ２、図示しないテンキーなどのハードボタンを備えている。なお、スタートボタンＢ１、終了ボタンＢ２は、表示部４７３に表示されるソフトボタンであってもよい。
【００１２】
画像形成装置１で原稿読取動作が行われる場合について説明する。原稿給送部６により給送されてくる原稿、又は原稿載置ガラス１６１に載置された原稿の画像を、読取機構１６３を備えた原稿読取部５が光学的に読み取り、そして原稿読取部５が画像形成対象データを生成する。原稿読取部５により生成された画像形成対象データは、ＨＤＤ（Hard Disk Drive）９２（図２参照）、又はネットワーク接続されたコンピューター等の外部装置２０に保存される。
【００１３】
画像形成装置１で画像形成動作が行われる場合について説明する。原稿読取動作により生成された画像形成対象データや、ＨＤＤ９２に記憶されている画像形成対象データ、ネットワーク接続されたコンピューターから受信した画像形成対象データ等に基づいて、画像形成部１２が、給紙部１４から給紙される記録紙（記録媒体）としての用紙Ｐにトナー像を形成する。
【００１４】
画像形成部１２は、ブラック（Ｂｋ）用の画像形成ユニット１２Ｂｋ、イエロー（Ｙ）用の画像形成ユニット１２Ｙ、シアン（Ｃ）用の画像形成ユニット１２Ｃ、及びマゼンタ（Ｍ）用の画像形成ユニット１２Ｍを含んで構成され、これら画像形成ユニット１２Ｂｋ，１２Ｙ，１２Ｃ，１２Ｍはそれぞれドラム型の感光体１２１Ｂｋ，１２１Ｙ，１２１Ｃ，１２１Ｍを備え、感光体１２１Ｂｋ，１２１Ｙ，１２１Ｃ，１２１Ｍは、図中の反時計回りに回転駆動するようになっている。
【００１５】
トナーコンテナ１７Ｂｋ，１７Ｙ，１７Ｃ，１７Ｍはそれぞれブラック用、イエロー用、シアン用、マゼンタ用のトナーを収納するものであり、感光体１２１Ｂｋ，１２１Ｙ，１２１Ｃ，１２１Ｍから離れた位置に、中間転写ベルト１２５を挟んで上方に、装置本体１１に設けられたトナーコンテナ装着部（図示せず）に着脱自在に装着されている。
【００１６】
転写ユニット１２０は、その外周面にトナー像が転写される中間転写ベルト１２５、駆動ローラー１２５ａ、従動ローラー１２５ｂ、及び一次転写ローラー１２６を含んで構成されている。
【００１７】
中間転写ベルト１２５は、駆動ローラー１２５ａと従動ローラー１２５ｂとの間に張架され、感光体１２１Ｂｋ，１２１Ｙ，１２１Ｃ，１２１Ｍの周面に当接した状態で駆動ローラー１２５ａによって駆動され、感光体１２１Ｂｋ，１２１Ｙ，１２１Ｃ，１２１Ｍと同期しながら、無端走行する。
【００１８】
次に、カラー印刷が行われる場合について説明する。感光体１２１Ｂｋ，１２１Ｙ，１２１Ｃ，１２１Ｍの周囲が一様に帯電され（帯電工程）、電荷を帯びた感光体１２１Ｂｋ，１２１Ｙ，１２１Ｃ，１２１Ｍの表面に、画像形成対象データに基づいて、レーザー光が照射されて潜像が形成され（露光工程）、潜像がトナーで可視像化され（現像工程）、可視像化することによって形成されたトナー像が一次転写ローラー１２６によって中間転写ベルト１２５上に転写されるようになっている。
【００１９】
中間転写ベルト１２５上に転写される各色（ブラック、イエロー、シアン、マゼンタ）のトナー像は、転写タイミングを調整して中間転写ベルト１２５上で重ね合わされ、カラーのトナー像となる。
【００２０】
二次転写ローラー２１０は、中間転写ベルト１２５の表面に形成されたカラーのトナー像を、中間転写ベルト１２５を挟んだ、駆動ローラー１２５ａとのニップ部Ｎにおいて、給紙部１４から搬送路１９０を搬送されてきた用紙Ｐに転写させるものである。なお、ここまで説明したのはカラー印刷の場合であり、モノクロ印刷の場合には、イエロー用、シアン用、及びマゼンタ用の感光体１２１Ｙ，１２１Ｃ，１２１Ｍは使用されず、ブラック用の感光体１２１Ｂｋだけが使用されることになる。
【００２１】
定着部１３は、熱圧着によりトナー像を用紙Ｐに定着させるものであり、定着処理が施されたカラー画像形成済みの用紙Ｐは、排出トレイ１５１に排出されることになる。
【００２２】
給紙部１４は、複数の給紙カセット、及び各給紙カセットに収容された記録紙をピックアップするためのピックアップローラー１４５を含んで構成され、操作者による指示等で指定されたサイズの記録紙をピックアップするように、対応するピックアップローラー１４５を回転駆動させて、指定された記録紙をニップ部Ｎに向けて搬送するものである。
【００２３】
図２は、画像形成装置１の主要内部構成を概略的に示した機能ブロック図である。画像形成装置１は、制御ユニット１０、原稿給送部６、原稿読取部５、画像形成部１２、画像メモリー３２、ＨＤＤ９２、定着部１３、給紙部１４、原稿センサー１５、操作部４７、ファクシミリ通信部７１、及びネットワークインターフェイス部９１を含んで構成されている。なお、図１に示した画像形成装置１と同様の構成部分については同符号を付し、ここではその詳しい説明を省略する。
【００２４】
原稿給送部６は、読取対象の原稿を原稿読取部５へ給送する。
【００２５】
原稿読取部５は、制御ユニット１０を構成する制御部１００による制御の下、光照射部及びＣＣＤ（Charge Coupled Device）センサー等を有する読取機構（図示せず）を備えており、原稿読取部５は、光照射部を使って原稿を照射し、その反射光をＣＣＤセンサーで受光することによって、原稿から画像を読み取る。すなわち、原稿読取部５は、原稿から画像を読み取ることで画像形成対象データを得る。
【００２６】
画像形成部１２は、印刷すべき画像のトナー像を用紙上に形成する。
【００２７】
画像メモリー３２は、原稿読取部５による原稿読み取りで得られた画像形成対象データを一時的に記憶したり、画像形成部１２のプリント対象となるデータを一時的に保存したりするための領域である。
【００２８】
ＨＤＤ９２は、原稿読取部５による原稿読み取りで得られた画像形成対象データ等を記憶する大容量の記憶装置である。また、ＨＤＤ９２は、後述する状態記憶部９２ａを備えている。
【００２９】
定着部１３は、用紙上のトナー像を、熱圧着により用紙に定着させる。
【００３０】
原稿センサー１５は、原稿給送部６の原稿挿入口近くに設置され、原稿給送部６の原稿トレイにセットされている原稿の有無を検知する。
【００３１】
操作部４７の表示部４７３は、例えば、液晶ディスプレイ（ＬＣＤ：Liquid Crystal Display）や有機ＥＬ（ＯＬＥＤ：Organic Light-Emitting Diode）などから構成される。表示部４７３の表示画面の前面には、タッチパネル４７４が配置されている。操作者は、表示部４７３の表示画面に表示されるボタンやキーに触れて、タッチパネル機能により画像形成装置１を操作することができる。
【００３２】
具体的には、タッチパネル４７４は、抵抗膜方式や静電容量方式等のタッチパネルである。タッチパネル４７４は、表示部４７３の画面に配置され、表示部４７３の画面に対する指などの接触をその接触位置と共に検知する。例えば、タッチパネル４７４は、指などの接触を検知すると、その接触位置の座標を示す検知信号を制御ユニット１０の制御部１００などに出力する。従って、タッチパネル４７４は、表示部４７３の画面に対するユーザー操作が入力される操作部としての役割を果たす。
【００３３】
ファクシミリ通信部７１は、図示しない符号化・複合化部、変復調部、及びＮＣＵ（Network Control Unit）等を備え、公衆電話回線網を用いてのファクシミリの通信を行うものである。例えば、ファクシミリ通信部７１は、ファクシミリの通信により受信した画像形成対象データを受け付ける。
【００３４】
ネットワークインターフェイス部９１は、ＬＡＮ（Local Area Network）ボード等の通信モジュールを含んで構成され、ネットワークインターフェイス部９１に接続されたＬＡＮ等を介して、ローカルエリア内、又はインターネット上のパーソナルコンピューター（パソコン）等の外部装置２０と種々のデータの送受信を行うものである。例えば、ネットワークインターフェイス部９１は、外部装置２０から受信したプリントジョブに含まれる画像形成対象データを受け付ける。
【００３５】
制御ユニット１０は、プロセッサー、ＲＡＭ(Random Access Memory）、及びＲＯＭ（Read Only Memory）などから構成される。プロセッサーは、例えば、ＣＰＵ（Central Processing Unit）、ＭＰＵ、ＡＳＩＣである。この制御ユニット１０は、ＨＤＤ９２に記憶された制御プログラムが上記のプロセッサーで実行されることにより、制御部１００と、ジョブ設定受付部１０１と、ジョブ実行受付部１０２と、キャンセル受付部１０３として機能する。なお、制御ユニット１０の上記各構成は、上記制御プログラムに基づく動作によらず、それぞれハード回路により構成されてもよい。
【００３６】
制御部１００は、画像形成装置１の全体的な動作制御を司る。制御部１００は、原稿給送部６、原稿読取部５、画像形成部１２、画像メモリー３２、ＨＤＤ９２、定着部１３、給紙部１４、原稿センサー１５、操作部４７、ファクシミリ通信部７１、及びネットワークインターフェイス部９１と接続され、これら各部の駆動制御を行う。画像形成装置１は、上記のコピー機能、プリンター機能、スキャナー機能、及びファクシミリ機能のような複数の機能を実行が可能とされているが、制御部１００は、当該複数の機能についての各動作を制御する。
【００３７】
ジョブ設定受付部１０１は、ユーザーからジョブの内容を示すジョブ設定の入力を受け付ける。具体的には、制御部１００は、操作部４７の表示部４７３に、ジョブの内容を示すジョブ設定を表示させる。ユーザーが表示部４７３のジョブ設定のボタン表示に触れると、タッチパネル４７４は、ジョブ設定のボタン表示へのタッチ指示を検出し、かかるタッチ指示信号をジョブ設定受付部１０１に出力する。ジョブ設定受付部１０１は、タッチ指示信号に基づいて、ジョブ設定の入力を受け付ける。
【００３８】
ジョブ実行受付部１０２は、ユーザーからジョブの実行指示を受け付ける。具体的には、ユーザーが操作部４７の図７（Ｂ）等に示すスタートボタンＢ１を押下すると、操作部４７からスタート信号が制御ユニット１０に出力される。ジョブ実行受付部１０２は、スタート信号に基づいて、ユーザーからジョブの実行指示を受け付ける。
【００３９】
ＨＤＤ９２の状態記憶部９２ａは、制御部１００による制御の下、後述する図８（Ａ）に示すように、ジョブ設定受付部１０１が受け付けたジョブ設定の入力のうちで、ユーザーからＯＫボタンが押された入力項目については確定項目とし、ユーザーからＯＫボタンが押されていない入力項目については仮確定項目として記憶する。
【００４０】
制御部１００は、ジョブ実行受付部１０２がユーザーからジョブの実行指示を受け付けると、ジョブ設定受付部１０１に受け付けられたジョブ設定で当該ジョブの実行を制御する。
【００４１】
キャンセル受付部１０３は、ジョブ実行受付部１０２がユーザーからジョブの実行指示を受け付けた後における当該ジョブのキャンセル可能な期間において、ユーザーから当該ジョブの実行中止を受け付ける。
【００４２】
例えば、制御部１００は、前記ジョブが、原稿読取部５において複数回に分けて原稿を読み取る連続読込を含むジョブである場合（後述する図５（Ｃ）参照）には、当該連続読込が完了するまでの期間を、前記ジョブのキャンセル可能な期間として設定する（後述する図８（Ｂ）参照）。
【００４３】
制御部１００は、キャンセル受付部１０３がジョブの実行中止を受け付けると、当該ジョブの実行を中止させ、ジョブ設定受付部１０１が受け付けたジョブ設定の入力のうちで、状態記憶部９２ａに確定項目として記憶された入力項目についてはその入力値を維持し、状態記憶部９２ａに仮確定項目として記憶された入力項目についてはデフォルト値に戻す。
【００４４】
また、制御部１００は、状態記憶部９２ａに仮確定項目として記憶された入力項目をデフォルト値に戻した場合には、当該デフォルト値に戻した入力項目を表示部４７３に表示させる。そして、ジョブ設定受付部１０１は、表示部４７３に表示された前記デフォルト値に戻された入力項目についての入力を受け付ける。
【００４５】
特に、制御部１００は、前記デフォルト値に戻した入力項目が複数ある場合には、当該デフォルト値に戻した複数の入力項目を表示部４７３に順番に表示させる。そして、ジョブ設定受付部１０１は、表示部４７３に表示された前記デフォルト値に戻された複数の入力項目についての入力を順番に受け付ける。
【００４６】
また、制御部１００は、キャンセル受付部１０３がジョブの実行中止を受け付けることなく、当該ジョブの実行が完了した場合には、状態記憶部９２ａに記憶された仮確定項目を確定項目に変更して記憶させる。
【００４７】
次に、画像形成装置１によるジョブ実行処理について説明する。
【００４８】
図３は、画像形成装置によるジョブ実行処理の一例を示すフローチャートである。図４は、画像形成装置によるジョブキャンセル時の入力項目表示処理の一例を示すフローチャートである。図５（Ａ）〜図５（Ｃ）のそれぞれは、操作部の表示部に表示される操作画面の一例を示す図である。図６（Ａ）、図６（Ｂ）、図７（Ａ）及び図７（Ｂ）はそれぞれ、操作画面を表示する表示部を含む操作部の一例を示す図である。
【００４９】
なおここでは、表示部４７３には、制御部１００による制御の下、図５（Ａ）に示す操作画面が表示されており、ユーザーが例えばコピーのボタンＫ１を押下し、図５（Ｂ）に示す操作画面が表示されているとして説明する。
【００５０】
制御部１００は、表示部４７３に図５（Ｂ）に示す操作画面が表示された状態において、ジョブ設定の入力の有無を判定する（Ｓ１）。例えば図５（Ｂ）では、制御部１００は、コピー設定のボタンＫ１Ａ又はオプション設定のボタンＫ１Ｂの押下の有無を判定する。具体的には、制御部１００は、ユーザーが表示部４７３のオプション設定のボタンＫ１Ｂを押下すると（Ｓ１でＹＥＳ）、表示部４７３に図５（Ｃ）に示す操作画面を表示させる。図５（Ｃ）に示す操作画面には、連続読込のボタンＫ１１、試しコピーのボタンＫ１２、サイズ確認のボタンＫ１３、プレビューのボタンＫ１４、オプション設定なしのボタンＫ１５が表示されている。
【００５１】
ここでは、原稿読取部５において複数回に分けて原稿を読み取る連続読込を含む印刷ジョブが、ユーザーによって、画像形成装置１に指示されるとして説明する。例えば、連続読込の設定は、複数種類の原稿を、原稿給送部６の原稿トレイに一度にセットできないときに、原稿の読み込みだけを先に数回に分けて行うときに便利な設定である。そして、ユーザーが表示部４７３の連続読込のボタンＫ１１を押下したことを制御部１００が検出すると、ジョブ設定受付部１０１は、ジョブ設定の入力として、連続読込の設定を受け付ける（Ｓ２）。
【００５２】
制御部１００は、表示部４７３に図５（Ｃ）に示す操作画面が表示された状態において、ＯＫボタンＫ１６の押下の有無を判定する（Ｓ３）。
【００５３】
具体的には、制御部１００は、ユーザーが表示部４７３の図５（Ｃ）に示す操作画面のＯＫボタンＫ１６を押下すると（Ｓ３でＹＥＳ）、連続読込の設定を確定項目として状態記憶部９２ａに記憶させ（Ｓ４）、表示部４７３に図５（Ｂ）に示す操作画面を表示させる。一方、制御部１００は、ユーザーが表示部４７３の図５（Ｃ）に示す操作画面の戻るボタンＫ１７を押下すると（Ｓ３でＮＯ）、連続読込の設定を仮確定項目として状態記憶部９２ａに記憶させ（Ｓ４）、表示部４７３に図５（Ｂ）に示す操作画面を表示させる。
【００５４】
ここでは、図５（Ｃ）に示す操作画面のＯＫボタンＫ１６が押下され（Ｓ３でＹＥＳ）、状態記憶部９２ａには、連続読込の設定が確定項目として記憶されたとする（Ｓ４）。
【００５５】
制御部１００は、Ｓ４の処理後、ジョブの実行指示の有無、すなわち、操作部４７の図６（Ａ）に示すスタートボタンＢ１の押下の有無を判定する（Ｓ５）。ここでは、ユーザーはスタートボタンＢ１を押下せず（Ｓ５でＮＯ）、図５（Ｂ）に示す操作画面のコピー設定のボタンＫ１Ａを押下し、ジョブ設定の入力（Ｓ１）を引き続き行う場合について説明する。すなわち、制御部１００は、図６（Ａ）に示すスタートボタンＢ１の押下がされず（Ｓ５でＮＯ）、図５（Ｂ）に示す操作画面のコピー設定のボタンＫ１Ａが押下され、表示部４７３に図６（Ａ）に示す操作画面を表示させ、ジョブ設定の入力の有無を判定する（Ｓ１）。
【００５６】
制御部１００は、表示部４７３に図６（Ａ）に示す操作画面が表示された状態において、ジョブ設定の入力の有無を判定する（Ｓ１）。制御部１００は、図６（Ａ）に示すように、片面／両面の設定キーＫ２１、カラー選択の設定キーＫ２２、及び、ページ集約の設定キーＫ２３の押下の有無を判定する（Ｓ１）。例えば、制御部１００は、ユーザーが表示部４７３における片面／両面の設定キーＫ２１を押下すると（Ｓ１でＹＥＳ）、表示部４７３に図６（Ｂ）に示す操作画面を表示させる。図６（Ｂ）に示す操作画面には、「片面から片面」の設定キーＫ２１１、「片面から両面」の設定キーＫ２１２、「両面から片面」の設定キーＫ２１３、ＯＫボタンＫ２１４、及び、次へボタンＫ２１５が表示されている。そして、ユーザーが表示部４７３の「片面から両面」の設定キーＫ２１２を押下したことを制御部１００が検出すると、ジョブ設定受付部１０１は、ジョブ設定の入力として、「片面から両面」の設定を受け付ける（Ｓ２）。
【００５７】
制御部１００は、表示部４７３に図６（Ｂ）に示す操作画面が表示された状態において、ＯＫボタンＫ２１４の押下の有無を判定する（Ｓ３）。具体的には、制御部１００は、ユーザーが表示部４７３の図６（Ｂ）に示す操作画面のＯＫボタンＫ２１４を押下すると（Ｓ３でＹＥＳ）、「片面から両面」の設定を確定項目として状態記憶部９２ａに記憶させ（Ｓ４）、表示部４７３に図７（Ａ）に示す操作画面を表示させる。一方、制御部１００は、ユーザーが表示部４７３の図６（Ｂ）に示す操作画面の次へボタンＫ２１５又は戻るボタンＫ２１６を押下すると（Ｓ３でＮＯ）、「片面から両面」の設定を仮確定項目として状態記憶部９２ａに記憶させ（Ｓ４）、表示部４７３に図７（Ａ）に示す操作画面を表示させる。
【００５８】
ここでは、図６（Ｂ）に示す操作画面の次へボタンＫ２１５が押下され（Ｓ３でＮＯ）、状態記憶部９２ａには、「片面から両面」の設定が仮確定項目として記憶されたとする（Ｓ４）。
【００５９】
制御部１００は、Ｓ４の処理後、ジョブの実行指示の有無、すなわち、操作部４７の図７（Ａ）に示すスタートボタンＢ１の押下の有無を判定する（Ｓ５）。ここでは、ユーザーはスタートボタンＢ１を押下せず（Ｓ５でＮＯ）、図７（Ａ）に示す操作画面において、ジョブ設定の入力（Ｓ１）を引き続き行う場合について説明する。すなわち、制御部１００は、図７（Ａ）に示すスタートボタンＢ１の押下がされず（Ｓ５でＮＯ）、表示部４７３に図７（Ａ）に示す操作画面を表示させ、ジョブ設定の入力の有無を判定する（Ｓ１）。図７（Ａ）に示す操作画面には、モノクロの設定キーＫ２２１、グレーの設定キーＫ２２２、フルカラーの設定キーＫ２２３、ＯＫボタンＫ２２４、及び、次へボタンＫ２２５が表示されている。
【００６０】
具体的には、図７（Ａ）に示す操作画面の例えばフルカラーの設定キーＫ２２３がユーザーによって押下されたことを制御部１００が検出すると（Ｓ１でＹＥＳ）、ジョブ設定受付部１０１は、ジョブ設定の入力として、フルカラーの設定を受け付ける（Ｓ２）。
【００６１】
制御部１００は、表示部４７３に図７（Ａ）に示す操作画面が表示された状態において、ＯＫボタンＫ２２４の押下の有無を判定する（Ｓ３）。具体的には、制御部１００は、ユーザーが表示部４７３の図７（Ａ）に示す操作画面のＯＫボタンＫ２２４を押下すると（Ｓ３でＹＥＳ）、フルカラーの設定を確定項目として状態記憶部９２ａに記憶させ（Ｓ４）、表示部４７３に図７（Ｂ）に示す操作画面を表示させる。一方、制御部１００は、ユーザーが表示部４７３の図７（Ａ）に示す操作画面の次へボタンＫ２２５又は戻るボタンＫ２２６を押下すると（Ｓ３でＮＯ）、フルカラーの設定を仮確定項目として状態記憶部９２ａに記憶させ（Ｓ４）、表示部４７３に図７（Ｂ）に示す操作画面を表示させる。
【００６２】
ここでは、図７（Ａ）に示す操作画面の次へボタンＫ２２５が押下され（Ｓ３でＮＯ）、状態記憶部９２ａには、フルカラーの設定が仮確定項目として記憶されたとする（Ｓ４）。
【００６３】
制御部１００は、Ｓ４の処理後、ジョブの実行指示の有無、すなわち、操作部４７の図７（Ｂ）に示すスタートボタンＢ１の押下の有無を判定する（Ｓ５）。ここでは、ユーザーはスタートボタンＢ１を押下せず（Ｓ５でＮＯ）、図７（Ｂ）に示す操作画面において、ジョブ設定の入力（Ｓ１）を引き続き行う場合について説明する。すなわち、制御部１００は、図７（Ｂ）に示すスタートボタンＢ１の押下がされず（Ｓ５でＮＯ）、図７（Ｂ）に示す操作画面を表示させ、ジョブ設定の入力の有無を判定する（Ｓ１）。図７（Ｂ）に示す操作画面には、ページ集約を行わないという「なし」の設定キーＫ２３１、「２ｉｎ１」の設定キーＫ２３２、「４ｉｎ１」の設定キーＫ２３３、ＯＫボタンＫ２３４、及び、次へボタンＫ２３５が表示されている。
【００６４】
具体的には、図７（Ｂ）に示す操作画面の例えば「２ｉｎ１」の設定キーＫ２３２がユーザーによって押下されたことを制御部１００が検出すると（Ｓ１でＹＥＳ）、ジョブ設定受付部１０１は、ジョブ設定の入力として、「２ｉｎ１」の設定を受け付ける（Ｓ２）。
【００６５】
制御部１００は、表示部４７３に図７（Ｂ）に示す操作画面が表示された状態において、ＯＫボタンＫ２３４の押下の有無を判定する（Ｓ３）。具体的には、制御部１００は、ユーザーが表示部４７３の図７（Ｂ）に示す操作画面のＯＫボタンＫ２３４を押下すると（Ｓ３でＹＥＳ）、「２ｉｎ１」の設定を確定項目として状態記憶部９２ａに記憶させ（Ｓ４）、表示部４７３に図示しない次の操作画面を表示させる。一方、制御部１００は、ユーザーが表示部４７３の図７（Ｂ）に示す操作画面の次へボタンＫ２３５又は戻るボタンＫ２３６を押下すると（Ｓ３でＮＯ）、「２ｉｎ１」の設定を仮確定項目として状態記憶部９２ａに記憶させ（Ｓ４）、表示部４７３に図示しない次の操作画面を表示させる。
【００６６】
ここでは、図７（Ｂ）に示す操作画面のＯＫボタンＫ２３４が押下され（Ｓ３でＹＥＳ）、状態記憶部９２ａには、「２ｉｎ１」の設定が確定項目として記憶されたとする（Ｓ４）。
【００６７】
図８（Ａ）は、ＨＤＤの状態記憶部に記憶される記憶情報の一例を示す図である。図８（Ａ）に示すように、ＨＤＤ９２の状態記憶部９２ａは、制御部１００の制御の下、ジョブ設定のオプション設定の入力項目である「連続読込」の設定を確定項目として記憶し、ジョブ設定の片面／両面選択の入力項目である「片面から両面」の設定を仮確定項目として記憶し、ジョブ設定のカラー選択の入力項目である「フルカラー」の設定を仮確定項目として記憶し、ジョブ設定のページ集約の入力項目である「２ｉｎ１」の設定を確定項目として記憶している。
【００６８】
制御部１００は、Ｓ４の処理後、ジョブの実行指示の有無、すなわち、操作部４７の図７（Ｂ）に示すスタートボタンＢ１の押下の有無を判定する（Ｓ５）。ここでは、原稿給送部６の原稿トレイには、複数種類の原稿のうちで１つ目の種類の原稿がセットされており、ユーザーがスタートボタンＢ１を押下したとする。制御部１００は、ユーザーがスタートボタンＢ１を押下すると（Ｓ５でＹＥＳ）、ジョブ設定受付部１０１に受け付けられたジョブ設定で当該ジョブの実行を開始する（Ｓ６）。言い換えれば、制御部１００は、状態記憶部９２ａに記憶されたジョブ設定の入力項目でジョブの実行を制御する。
【００６９】
制御部１００は、実行中のジョブのキャンセル可能な期間であるか否かを判定する（Ｓ７）。図８（Ｂ）は、連続読込を含むジョブの実行開始後のキャンセル可能期間を示す図である。制御部１００は、当該実行中のジョブが連続読込を含むジョブである（図５（Ｃ）参照）ため、当該連続読込が完了するまでの期間を、ジョブのキャンセル可能な期間として設定する（図８（Ｂ）参照）。図８（Ｂ）に示すように、ジョブ設定入力開始のタイミングｔ１、スタートボタンＢ１の押下タイミングｔ２、連続読取完了タイミングｔ３、ジョブ完了タイミングｔ４とすると、スタートボタンＢ１の押下タイミングｔ２から連続読取完了タイミングｔ３までの期間が実行中のジョブのキャンセル可能期間であり、連続読取完了タイミングｔ３からジョブ完了タイミングｔ４までの期間がキャンセル不可期間である。
【００７０】
図９（Ａ）は、操作部の表示部に表示される操作画面の一例を示す図である。制御部１００は、表示部４７３に、図９（Ａ）に示す操作画面を表示させる。例えば、制御部１００は、実行中のジョブのキャンセル可能な期間において、図９（Ａ）に示すように、表示部４７３に、キャンセル可能な期間である旨としての「実行中ジョブのキャンセルが可能です。」の表示を行う。なお、図９（Ａ）に示す操作画面には、実行中のジョブの各設定値（「片面から両面」、「フルカラー」、「２ｉｎ１」など）が表示されている。
【００７１】
制御部１００は、実行中のジョブのキャンセル可能な期間であれば（Ｓ７でＹＥＳ）、キャンセル指示の有無を判定する（Ｓ８）。具体的には、制御部１００は、実行中のジョブのキャンセル可能な期間であれば（Ｓ７でＹＥＳ）、図９（Ａ）に示すキャンセルボタンＫ３の押下の有無を判定する（Ｓ８）。制御部１００は、キャンセルボタンＫ３の押下が無ければ（Ｓ８でＮＯ）、Ｓ１２に進む。一方、制御部１００は、キャンセルボタンＫ３の押下があれば（Ｓ８でＹＥＳ）、ジョブの実行（ここでは連続読込を含むジョブ）を中止する（Ｓ９）。
【００７２】
制御部１００は、ジョブ設定受付部１０１が受け付けたジョブ設定の入力のうちで、状態記憶部９２ａに確定項目として記憶された入力項目についてはその入力値を維持し、状態記憶部９２ａに仮確定項目として記憶された入力項目についてはデフォルト値に戻す（Ｓ１０）。
【００７３】
図１０（Ａ）は、実行中のジョブがキャンセルされた場合のジョブ設定の各入力項目の仮確定／確定項目を示す図である。制御部１００は、図１０（Ａ）に示すように、ジョブ設定受付部１０１が受け付けたジョブ設定の入力のうちで、状態記憶部９２ａに確定項目として記憶された入力項目である「連続読込」及び「２ｉｎ１」についてはその入力値を維持し、状態記憶部９２ａに仮確定項目として記憶された入力項目である「片面から両面」及び「フルカラー」についてはデフォルト値である「片面から片面」及び「モノクロ」にそれぞれ戻す。
【００７４】
そして、制御部１００は、デフォルト値に戻した入力項目の表示処理を行う（Ｓ１１）。ここで、図４を用いて、画像形成装置１によるジョブキャンセル時の入力項目表示処理について説明する。
【００７５】
制御部１００は、図４に示すように、デフォルト値に戻した入力項目を表示部４７３に表示させる（Ｓ２１）。図９（Ｂ）は、操作部の表示部に表示される操作画面の一例を示す図である。制御部１００は、図９（Ｂ）に示す操作画面を表示部４７３に表示させる。具体的には、制御部１００は、図９（Ｂ）に示すように、当該デフォルト値に戻した入力項目である「片面から片面」及び「モノクロ」を、通常とは異なる表示態様（例えば、デフォルト値に復帰されたことを示す表示態様）で表示部４７３に表示させる。なお、図９（Ｂ）では、通常とは異なる表示態様は、ハッチングを付した表示態様としている。このように、ユーザーは、表示部４７３に表示された図９（Ｂ）に示す操作画面を見ることで、デフォルト値に戻された入力項目（設定値）を把握することができる。
【００７６】
制御部１００は、設定値の入力の有無を判定する（Ｓ２２）。具体的には、制御部１００は、図９（Ｂ）に示すように、片面／両面の設定キーＫ２１、カラー選択の設定キーＫ２２、及び、ページ集約の設定キーＫ２３の押下の有無を判定する（Ｓ２２）。
【００７７】
例えば、制御部１００は、ユーザーが表示部４７３における片面／両面の設定キーＫ２１を押下すると（Ｓ２２でＹＥＳ）、表示部４７３に図６（Ｂ）に示す操作画面を表示させる。ジョブ設定受付部１０１は、ジョブ設定の入力として、例えば「両面から片面」の設定、すなわち、「両面から片面」の設定キーＫ２１３の押下を受け付ける（Ｓ２３）。
【００７８】
制御部１００は、表示部４７３に図６（Ｂ）に示す操作画面が表示された状態において、ＯＫボタンＫ２１４の押下の有無を判定する（Ｓ２４）。具体的には、制御部１００は、ユーザーが表示部４７３の図６（Ｂ）に示す操作画面のＯＫボタンＫ２１４を押下すると（Ｓ２４でＹＥＳ）、「両面から片面」の設定を確定項目として状態記憶部９２ａに記憶させ（Ｓ２５）、ユーザーが表示部４７３の図６（Ｂ）に示す操作画面の次へボタンＫ２１５又は戻るボタンＫ２１６を押下すると（Ｓ２４でＮＯ）、「両面から片面」の設定を仮確定項目として状態記憶部９２ａに記憶させる（Ｓ２５）。
【００７９】
制御部１００は、Ｓ２５の処理後、又は、設定値の入力が無かった場合（Ｓ２２でＮＯ）、次の表示の有無を判定する（Ｓ２６）。具体的には、制御部１００は、ジョブ設定のうちでデフォルト値に戻した次の入力項目（設定値）がある場合には（Ｓ２６でＹＥＳ）、デフォルト値に戻した次の入力項目（設定値）を表示部４７３に表示させる（Ｓ２１）。図９（Ｂ）、図１０（Ａ）に示すように、ジョブ設定のカラー選択の入力項目であった「フルカラー」の設定がデフォルト値である「モノクロ」の設定に戻しているため、制御部１００は、表示部４７３に図７（Ａ）に示す操作画面を表示させる（Ｓ２１）。
【００８０】
例えば、制御部１００は、図７（Ａ）に示す操作画面の例えばグレーの設定キーＫ２２２がユーザーによって押下されたことを制御部１００が検出すると（Ｓ２２でＹＥＳ）、ジョブ設定受付部１０１は、ジョブ設定の入力として、例えばグレーの設定を受け付ける（Ｓ２３）。
【００８１】
制御部１００は、表示部４７３に図７（Ａ）に示す操作画面が表示された状態において、ＯＫボタンＫ２２４の押下の有無を判定する（Ｓ２４）。具体的には、制御部１００は、ユーザーが表示部４７３の図７（Ａ）に示す操作画面のＯＫボタンＫ２２４を押下すると（Ｓ２４でＹＥＳ）、グレーの設定を確定項目として状態記憶部９２ａに記憶させ（Ｓ２５）、ユーザーが表示部４７３の図７（Ａ）に示す操作画面の次へボタンＫ２２５又は戻るボタンＫ２２６を押下すると（Ｓ２４でＮＯ）、グレーの設定を仮確定項目として状態記憶部９２ａに記憶させる（Ｓ２５）。
【００８２】
制御部１００は、次の表示の有無を判定する（Ｓ２６）。具体的には、制御部１００は、ジョブ設定のうちでデフォルト値に戻した次の入力項目（設定値）がないので（Ｓ２６でＮＯ）、操作部４７の終了ボタンＢ２の押下の有無を判定する（Ｓ２７）。ユーザーが当該ジョブ自体を終了させる場合に、終了ボタンＢ２が押下される。終了ボタンＢ２が押下されなかった場合（Ｓ２７でＮＯ）、制御部１００は、ジョブの実行指示の有無、すなわち、操作部４７の図７（Ａ）に示すスタートボタンＢ１の押下の有無を判定する（Ｓ２８）。制御部１００は、ユーザーがスタートボタンＢ１を押下すると（Ｓ２８でＹＥＳ）、ジョブ設定受付部１０１に受け付けられたジョブ設定で当該ジョブの実行を開始する（図３に示すＳ６）。Ｓ６以降は、前述したためここでの説明を省略する。
【００８３】
一方、制御部１００は、実行中のジョブのキャンセル可能な期間でない、つまり、キャンセル可能な期間を経過している場合（Ｓ７でＮＯ）、又は、キャンセルボタンＫ３の押下が無い場合（Ｓ８でＮＯ）、実行中のジョブが完了であるか否かを判定する（Ｓ１２）。なお、制御部１００は、実行中のジョブのキャンセル可能な期間が経過すると、表示部４７３における図９（Ａ）に示す「実行中ジョブのキャンセルが可能です。」の表示を終了させる。
【００８４】
制御部１００は、実行中のジョブが完了していない場合（Ｓ１２でＮＯ）、Ｓ７に進み、実行中のジョブが完了している場合（Ｓ１２でＹＥＳ）、仮確定項目を確定項目に変更する（Ｓ１３）。図１０（Ｂ）は、ジョブの実行が完了した場合に仮確定項目が確定項目に変更される例を示す図である。制御部１００は、図１０（Ｂ）に示すように、ジョブ設定受付部１０１が受け付けたジョブ設定の入力のうちで、状態記憶部９２ａに仮確定項目として記憶された入力項目である「片面から両面」及び「フルカラー」については確定項目に変更した履歴ジョブデータとして状態記憶部９２ａに記憶させる。このように、仮確定項目を確定項目に変更した履歴ジョブデータを状態記憶部９２ａに記憶させることができ、ユーザーが当該履歴ジョブデータを活用することができる。
【００８５】
制御部１００は、図３のＳ１３の処理後、本処理を終了させる。
【００８６】
上記の実施形態によれば、ジョブ設定受付部１０１は、ユーザーからジョブの内容を示すジョブ設定の入力を受け付ける。状態記憶部９２ａは、ジョブ設定受付部１０１が受け付けたジョブ設定の入力のうちで、ユーザーからＯＫボタンが押された入力項目については確定項目とし、ユーザーからＯＫボタンが押されていない入力項目については仮確定項目として記憶する。これにより、ジョブ設定の入力について、ユーザーが承認した入力項目と承認していない入力項目とを切り分けて記録しておくことができる。制御部１００は、キャンセル受付部１０３がジョブの実行中止を受け付けると、当該ジョブの実行を中止させ、ジョブ設定受付部１０１が受け付けたジョブ設定の入力のうちで、状態記憶部９２ａに確定項目として記憶された入力項目についてはその入力値を維持し、状態記憶部９２ａに仮確定項目として記憶された入力項目についてはデフォルト値に戻す。これにより、ジョブの実行中止を受け付けた場合に、ジョブ設定の入力のうちで、ユーザーが明示的に確定させていない設定値、すなわち、仮確定項目として記憶された入力項目についてはデフォルト値に戻されるので、強制的に確定された設定値を破棄して元に戻すことができ、ユーザーが手動で元に戻す手間を省くことができる。
【００８７】
また、制御部１００は、状態記憶部９２ａに仮確定項目として記憶された入力項目をデフォルト値に戻した場合には、当該デフォルト値に戻した入力項目を表示部４７３に表示させるので、デフォルト値に戻した入力項目、すなわち、ユーザーが明示的に確定させていない設定値を、ユーザーが容易に把握することができる。また、ジョブ設定受付部１０１は、表示部４７３に表示されたデフォルト値に戻された入力項目についての入力を受け付けるので、ユーザーは、即座に新たな設定値を入力することができる。
【００８８】
また、制御部１００は、デフォルト値に戻した入力項目が複数ある場合には、当該デフォルト値に戻した複数の入力項目を表示部４７３に順番に表示させるので、デフォルト値に戻した複数の入力項目、すなわち、ユーザーが明示的に確定させていない複数の設定値を、ユーザーが容易に把握することができる。また、ジョブ設定受付部１０１は、表示部４７３に表示されたデフォルト値に戻された複数の入力項目についての入力を順番に受け付けるので、ユーザーは、新たな設定値を順番に入力することができ、入力操作性に優れる。
【００８９】
また、制御部１００は、連続読込を含むジョブである場合には、当該連続読込が完了するまでの期間を、当該ジョブのキャンセル可能な期間として設定する。これにより、連続読込を含むジョブに適したキャンセル可能な期間を設定することができる。
【００９０】
本発明は上記実施形態の構成に限られず種々の変形が可能である。例えば、上記実施形態の画像形成装置１では、オプション設定として連続読込の設定を行った例について説明しているが、図１１（Ａ）〜図１１（Ｃ）に示すように、試しコピー、サイズ確認、プレビューの設定を行ってもよい。
【００９１】
図１１（Ａ）〜図１１（Ｃ）のそれぞれは、各ジョブの実行開始後のキャンセル可能期間を示す図である。
【００９２】
例えば、図５（Ｃ）に示す操作画面における試しコピーのボタンＫ１２をユーザーが押下したことを制御部１００が検出すると、ジョブ設定受付部１０１は、ジョブ設定の入力として、試しコピーの設定を受け付ける（図３のＳ２）。そして、制御部１００は、図１１（Ａ）に示すように、前記ジョブが、画像形成部１２が原稿の画像データを複数部の用紙Ｐに画像形成する前に、原稿の画像データを１部のみ画像形成して当該画像形成結果を確認するための試しコピーを含むジョブである場合には、原稿読取部５において原稿の読み取りが完了するまでの期間を、前記ジョブのキャンセル可能な期間として設定する。図１１（Ａ）に示すように、ジョブ設定入力開始のタイミングｔ１１、スタートボタンＢ１の押下タイミングｔ１２、複数部の原稿の読取完了タイミングｔ１３、ジョブ完了タイミングｔ１４とすると、スタートボタンＢ１の押下タイミングｔ１２から複数部の原稿の読取完了タイミングｔ１３までの期間が実行中のジョブのキャンセル可能期間であり、複数部の原稿の読取完了タイミングｔ１３からジョブ完了タイミングｔ１４までの期間がキャンセル不可期間である。これによれば、制御部１００は、試しコピーを含むジョブである場合には、原稿読取部５において原稿の読み取りが完了するまでの期間を、当該ジョブのキャンセル可能な期間として設定する。これにより、試しコピーを含むジョブに適したキャンセル可能な期間を設定することができる。
【００９３】
例えば、図５（Ｃ）に示す操作画面におけるサイズ確認のボタンＫ１３をユーザーが押下したことを制御部１００が検出すると、ジョブ設定受付部１０１は、ジョブ設定の入力として、サイズ確認の設定を受け付ける（図３のＳ２）。そして、制御部１００は、図１１（Ｂ）に示すように、前記ジョブが、原稿読取部５において読み取った原稿のサイズ情報を表示部４７３に表示させてユーザーに確認させるためのサイズ確認を含むジョブである場合には、表示部４７３におけるサイズ確認の表示が終了されるまでの期間を、前記ジョブのキャンセル可能な期間として設定する。図１１（Ｂ）に示すように、ジョブ設定入力開始のタイミングｔ２１、スタートボタンＢ１の押下タイミングｔ２２、サイズ確認の表示終了タイミングｔ２３、ジョブ完了タイミングｔ２４とすると、スタートボタンＢ１の押下タイミングｔ２２からサイズ確認の表示終了タイミングｔ２３までの期間が実行中のジョブのキャンセル可能期間であり、サイズ確認の表示終了タイミングｔ２３からジョブ完了タイミングｔ２４までの期間がキャンセル不可期間である。これによれば、制御部１００は、サイズ確認を含むジョブである場合には、表示部４７３におけるサイズ確認の表示が終了されるまでの期間を、当該ジョブのキャンセル可能な期間として設定する。これにより、サイズ確認を含むジョブに適したキャンセル可能な期間を設定することができる。
【００９４】
例えば、図５（Ｃ）に示す操作画面におけるプレビューのボタンＫ１４をユーザーが押下したことを制御部１００が検出すると、ジョブ設定受付部１０１は、ジョブ設定の入力として、プレビューの設定を受け付ける（図３のＳ２）。そして、制御部１００は、図１１（Ｃ）に示すように、前記ジョブが、原稿読取部５において読み取った原稿を表示部４７３においてプレビュー画面を表示させてユーザーに確認させるためのプレビューを含むジョブである場合には、表示部４７３におけるプレビュー画面の表示が終了されるまでの期間を、前記ジョブのキャンセル可能な期間として設定する。図１１（Ｃ）に示すように、ジョブ設定入力開始のタイミングｔ３１、スタートボタンＢ１の押下タイミングｔ３２、プレビュー画面の表示終了タイミングｔ３３、ジョブ完了タイミングｔ３４とすると、スタートボタンＢ１の押下タイミングｔ３２からプレビュー画面の表示終了タイミングｔ３３までの期間が実行中のジョブのキャンセル可能期間であり、プレビュー画面の表示終了タイミングｔ３３からジョブ完了タイミングｔ３４までの期間がキャンセル不可期間である。これによれば、制御部１００は、プレビューを含むジョブである場合には、表示部４７３におけるプレビュー画面の表示が終了されるまでの期間を、当該ジョブのキャンセル可能な期間として設定する。これにより、プレビューを含むジョブに適したキャンセル可能な期間を設定することができる。
【００９５】
また、上記実施形態では、図１乃至図１１を用いて上記実施形態により示した構成及び処理は、本発明の一実施形態に過ぎず、本発明を当該構成及び処理に限定する趣旨ではない。
【符号の説明】
【００９６】
１      画像形成装置
５      原稿読取部
１０    制御ユニット
１２    画像形成部
９２ａ  状態記憶部
１００  制御部
１０１  ジョブ設定受付部
１０２  ジョブ実行受付部
１０３  キャンセル受付部
４７３  表示部
【図１】
2020202523.tif 000003
【図２】
2020202523.tif 000004
【図３】
2020202523.tif 000005
【図４】
2020202523.tif 000006
【図５】
2020202523.tif 000007
【図６】
2020202523.tif 000008
【図７】
2020202523.tif 000009
【図８】
2020202523.tif 000010
【図９】
2020202523.tif 000011
【図１０】
2020202523.tif 000012
【図１１】
2020202523.tif 000013